(57)【要約】【課題】誤った操作でカードが引き抜かれたときでも故障が生じることがなく、耐久性が向上されたカード用コネクタを提供する。【解決手段】ハウジング１１には、カード挿抜方向Ｒ１，Ｒ２に沿ってスライドするハートカムブロック２０が設けられており、プッシュ・プッシュ型カード排出機構が構成されている。ハートカムブロック２０には、ＳＤカード１のロック用凹所３と係合可能なロック爪部４５を有するロック用弾性片４０が固定されている。ＳＤカード１とともにハートカムブロック２０をカード挿入方向Ｒ１へと押し込むと、ばね部材３５によってロック用弾性片４０が弾性変形させられ、ロック爪部４５とロック用凹所３とが係合し、その状態で、ハートカムブロック２０がロックされる。ＳＤカード１を無理に引き抜くと、ロック用弾性片４０が弾性変形し、ロック爪部４５とロック凹所３との係合が解除される。【選択図】図５
2006294637.tif 000002
【特許請求の範囲】
【請求項１】
側面に係合凹所を有するカードを機器に電気接続するためのコネクタであって、
カードを収容する収容空間を有し、カードの電気接点に接触する電気接点が植設されたハウジングと、
このハウジングの少なくとも一部を覆うように当該ハウジングに固定された金属シェルと、
上記カードがハウジング内の所定の完全挿入位置まで挿入されたときに上記カードの係合凹所に係合するロック爪部と、
上記金属シェルの打ち抜き加工によって当該金属シェルと一体的に形成されており、上記ロック爪部を支持し、上記カードに対して、カード抜き取り方向への外力が加えられたときに、上記カードから上記ロック爪部に作用する力を受けて弾性変形し、上記ロック爪部と上記カードの係合凹所との係合状態を解放させる弾性片とを含むことを特徴とするカード用コネクタ。
【請求項２】
上記係合凹所は、上記ハウジングに対するカード挿抜方向にほぼ直交する係合面を有し、
上記ロック爪部は、上記係合凹所の係合面に対向するロック係合辺またはロック係合面を有し、
このロック係合辺またはロック係合面は、上記カードに対してカード抜き取り方向への外力が加えられ、上記カードからロック爪部に作用する外力を受けて上記弾性片が弾性変形した状態で、上記カードの側面に対して傾斜し、上記カードの係合凹所の出口縁に摺接するようになっていることを特徴とする請求項１記載のカード用コネクタ。
【請求項３】
上記ハウジングに対してカード挿抜方向に沿ってスライド可能に結合され、カードが上記ハウジングに挿入されるときに、当該カードからのカード挿入方向への力を受けてカード挿入方向にスライドして所定のロック位置でロックされ、このロック状態から上記カードがカード挿入方向に向けてさらに押し込まれることによってロック解除されるプッシュ・プッシュ型スライド部材と、
このプッシュ・プッシュ型スライド部材をカード抜き取り方向に付勢する付勢手段とをさらに含むことを特徴とする請求項１または２記載のカード用コネクタ。
【発明の詳細な説明】
【技術分野】
【０００１】
この発明は、ＳＤ（Secure Digital）メモリカード、マルチメディアカードおよびメモリスティックなどのメモリカードに代表されるカード（とくに集積回路内蔵カード）を電子機器（たとえば、携帯型電子機器やノート型パソコンなど）の配線基板等に電気接続するためのカード用コネクタに関する。
【背景技術】
【０００２】
携帯電話機、ディジタルカメラおよびＰＤＡ（Personal Digital Assistant）に代表される携帯型電子機器には、メモリカードを装着するためのメモリスロットが設けられることが多い。このメモリスロットの内部には、メモリカードの電気接点を内部の配線基板に電気接続するためのカード用コネクタが設けられている。
カード用コネクタの先行技術は、たとえば、下記特許文献１に開示されている。この先行技術に係るカード用コネクタは、複数の端子が横並びで装着された絶縁ハウジングと、このハウジングに組み付けられたシェルカバーと、カードの挿抜に伴って挿抜方向で進退するハートカムブロックとを有し、いわゆるプッシュ・プッシュ型のカード排出機構を採用している。ハートカムブロックは、コイルばねによって、カード排出方向へと付勢されている。ハートカムブロックは、ハート形のカム溝を有していて、このカム溝に金属棒の一旦を直角に折り曲げて形成した伝達ピンが係合している。この金属棒の他端は、ハウジングに固定されている。
【０００３】
ハートカムブロックは、カードに挿入方向の外力を加えることによって、カードとともにハウジングの奥部へと押し込まれる。この過程で、伝達ピンの作動部は、カム溝内を移動し、カードに加える外力が解放されることにより、カム溝のロック位置に導かれる。これにより、ハートカムブロックは、ハウジング内に押し込まれた状態で保持される。
カードに対して、もう一度、挿入方向への外力を加えると、伝達ピンの作動部がカム溝内のロック位置から外れる。その後、カードに対する外力を解放すると、コイルばねからの付勢力によって、ハートカムブロックがカード抜き取り方向へと移動し、伝達ピンの作動部はカム溝内を循環する。これにより、ハートカムブロックとともに、カードがハウジング外へと押し出される。
【０００４】
ハートカムブロックには、メモリカードの側面に形成された凹所に係合する係合用突起が設けられている。また、ハートカムブロックには、シェルカバーおよびハウジングに形成された特殊形状のガイド溝に係合する突部が設けられている。
この構成により、ハートカムブロックが挿抜方向にスライドされるときに、ガイド溝によって突部が案内されることにより、係合用突起がメモリカードの側面に向かう方向と、メモリカードの側面から離反する方向とに変位する。すなわち、係合用突起は、ハートカムブロックがハウジングの奥部へと挿入される過程で、メモリカードの側面の凹所に係合し、ハートカムブロックがカード抜き取り方向へと移動する過程で、その凹所から退避して係合が解除されるようになっている。
【特許文献１】特開２００２−８３６５１号公報
【発明の開示】
【発明が解決しようとする課題】
【０００５】
カードがコネクタに装着された状態では、カードの後端はカードスロットからわずかに突出している。これは、カードを取り出す際の押し込み代を確保するためである。
しかし、プッシュ・プッシュ型のカード排出機構に不慣れな使用者は、カードスロットからわずかに突出したカードの後端を摘んで、カードスロットからそのカードを引き抜こうとする場合がある。
【０００６】
このような場合に、上記の先行技術では、カード側面の凹所と係合用突起とが係合したままとなり、ハートカムブロックがカードとともに引き出される。このとき、伝達ピンの作動部は、ハートカムブロックに形成されたカム溝を乗り越えて移動し、その際に、カム溝を傷つける。そのため、使用者が何度も同様な操作を繰り返すと、ハートカムブロックのカム溝が破壊され、このハートカムブロックがハウジングに押し込まれた位置（カードを挿入した状態）で保持されなくなる。その結果、メモリカードをメモリスロットに装着することができなくなり、故障に至る。
【０００７】
そこで、この発明の目的は、誤った操作でカードが引き抜かれたときでも故障が生じることがなく、これにより、耐久性が向上されたカード用コネクタを提供することである。
【課題を解決するための手段】
【０００８】
上記の目的を達成するための請求項１記載の発明は、側面に係合凹所を有するカードを機器に電気接続するためのコネクタであって、カードを収容する収容空間を有し、カードの電気接点に接触する電気接点が植設されたハウジングと、このハウジングの少なくとも一部を覆うように当該ハウジングに固定された金属シェルと、上記カードがハウジング内の所定の完全挿入位置まで挿入されたときに上記カードの係合凹所に係合するロック爪部と、上記金属シェルの打ち抜き加工によって当該金属シェルと一体的に形成されており、上記ロック爪部を支持し、上記カードに対して、カード抜き取り方向への外力が加えられたときに、上記カードから上記ロック爪部に作用する力を受けて弾性変形し、上記ロック爪部と上記カードの係合凹所との係合状態を解放させる弾性片とを含むことを特徴とするカード用コネクタである。
【０００９】
請求項２記載の発明は、上記係合凹所は、上記ハウジングに対するカード挿抜方向にほぼ直交する係合面を有し、上記ロック爪部は、上記係合凹所の係合面に対向するロック係合辺またはロック係合面を有し、このロック係合辺またはロック係合面は、上記カードに対してカード抜き取り方向への外力が加えられ、上記カードからロック爪部に作用する外力を受けて上記弾性片が弾性変形した状態で、上記カードの側面に対して傾斜し、上記カードの係合凹所の出口縁に摺接するようになっていることを特徴とする請求項１記載のカード用コネクタである。
【００１０】
請求項３記載の発明は、上記ハウジングに対してカード挿抜方向に沿ってスライド可能に結合され、カードが上記ハウジングに挿入されるときに、当該カードからのカード挿入方向への力を受けてカード挿入方向にスライドして所定のロック位置でロックされ、このロック状態から上記カードがカード挿入方向に向けてさらに押し込まれることによってロック解除されるプッシュ・プッシュ型スライド部材と、このプッシュ・プッシュ型スライド部材をカード抜き取り方向に付勢する付勢手段とをさらに含むことを特徴とする請求項１または２記載のカード用コネクタである。
【００１１】
一具体例に係るカード用コネクタは、側面に係合凹所（３）を有するカード（１）を機器に電気接続するためのコネクタ（１０）であって、カードを収容する収容空間（１５）を有し、カードの電気接点に接触する電気接点（１３）が植設されたハウジング（１１）と、上記カードがハウジング内の所定の完全挿入位置まで挿入されたときに上記カードの係合凹所に係合するロック爪部（４５，６５，７５）と、上記ロック爪部を支持し、上記カードに対して、カード抜き取り方向への外力が加えられたときに（たとえば、使用者がカードに対して直接的にそのような外力を加えたときに）、上記カードから上記ロック爪部に作用する力を受けて弾性変形し、上記ロック爪部と上記カードの係合凹所との係合状態を解放させる弾性片（４０，６０，７０）と、上記ハウジングに対してカード挿抜方向に沿ってスライド可能に結合され、カードが上記ハウジングに挿入されるときに、当該カードからのカード挿入方向への力を受けてカード挿入方向にスライドして所定のロック位置でロックされ、このロック状態から上記カードがカード挿入方向に向けてさらに押し込まれることによってロック解除されるプッシュ・プッシュ型スライド部材（２０）と、このプッシュ・プッシュ型スライド部材をカード抜き取り方向に付勢する付勢手段（３１）と、上記プッシュ・プッシュ型スライド部材がカード挿入方向にスライドするときに、上記弾性片を上記ロック爪部と上記カードの係合凹所とが係合する姿勢に導き、上記ロック解除されたプッシュ・プッシュ型スライド部材が上記付勢手段からの付勢力を受けてカード抜き取り方向にスライドするときに、上記弾性片を上記ロック爪部と上記カードの係合凹所との係合が解除される姿勢に導く弾性片駆動部材（３５，６８）とを含み、上記係合凹所は、上記ハウジングに対するカード挿抜方向（たとえば、カード側面に平行な方向）にほぼ直交する係合面（３ａ）を有し、上記ロック爪部は、上記係合凹所の係合面に対向するロック係合辺またはロック係合面（４５ａ，６５ａ）を有し、このロック係合辺またはロック係合面は、上記ロック爪部と上記カードの係合凹所とが係合していて上記カードに対してカード抜き取り方向への外力が加えられていない状態では、上記係合凹所の内方に向かうほど上記係合凹所の係合面に近づく姿勢である一方、上記カードに対してカード抜き取り方向への外力が加えられ、上記カードからロック爪部に作用する外力を受けて上記弾性片が弾性変形した状態では、上記カードの側面に対して傾斜し、上記係合凹所の内方に向かうほど上記係合凹所の係合面から離れる姿勢となって上記カードの係合凹所の出口縁に摺接するようになっている。なお、括弧内の英数字は後述の実施形態における対応構成要素等を表す。以下、この項において同じ。
【００１２】
上記の構成によれば、カードを完全挿入位置まで挿入すると、カードの係合凹所とロック爪部とが係合し、カードの不用意な脱落が防止される。一方、ロック爪部は弾性片に支持されているので、カードの係合凹所とロック爪部とが係合している状態で、カードの抜き取りが試みられると、弾性片の弾性変形によって、ロック爪部と係合凹所との係合が解除される。したがって、ロック爪部がカードとともにカード抜き取り方向へと移動していくことがないから、ロック爪部を支持している弾性片に結合されている部品に損傷を与えることがない。よって、誤った操作でカードが引き抜かれたときでも、故障が生じることがないから、カード用コネクタの耐久性を向上できる。
【００１３】
上記ロック爪部は、上記弾性片とは別の部品であってもよいし、上記弾性片に一体に形成されていてもよい。すなわち、たとえば、弾性片を板ばね部材で構成する場合に、弾性片の一部からロック爪部を上記収容空間に向かって突出形成しておいてもよい。
また、弾性片の弾性変形によって、ロック爪部のロック係合辺またはロック面がカードの係合凹所の出口縁に摺接する状態とすることができるから、誤った操作でカードが抜き取られるときには、ロック爪部とカードの係合凹所との係合を確実に解除できる。
【００１４】
さらに、カードをカード挿入方向に押し込むことによって、プッシュ・プッシュ型スライド部材をカード挿入方向にスライドさせながら、カードを完全挿入位置に導き、その状態で、プッシュ・プッシュ型スライド部材をロック位置にロックすることができる。この状態から、さらにカードをカード挿入方向に押し込むと、プッシュ・プッシュ型スライド部材のロック状態が解除され、付勢手段の働きによって、プッシュ・プッシュ型スライド部材はカード抜き取り方向へとスライドし、それに伴って、カードがプッシュ・プッシュ型スライド部材によって、ハウジング外へと押し出される。
【００１５】
上記プッシュ・プッシュ型スライド部材は、ハート形のカム溝（２１）が形成されたものであってもよい。この場合には、一方端に上記カム溝内を一方向に循環する作動部（３３ａ）を有し、他方端が上記ハウジングに結合された伝達ピン（３３）をさらに含むことが好ましい。
また、ハウジング側にハート形カム溝を有するカムブロックを設け、このカムブロックのカム溝に伝達ピンの作動部を係合させ、その他方端をプッシュ・プッシュ型スライド部材に結合してもよい。
【００１６】
いずれの場合にも、カードをカード挿入方向に押し込む正しい操作ではなく、使用者がカードに対してカード抜き取り方向の外力を直接与えてカードを無理に抜き取る操作が行われるときに、伝達ピンの作動部がカム溝内のロック位置に保持されたままで、ロック爪部とカードの係合凹所との係合が解除されるようになっていることが好ましい。
上記の構成では、さらに、弾性片駆動部材の働きによって、プッシュ・プッシュ型スライド部材がカード挿入方向にスライドするときに、ロック爪部とカードの係合凹所とが係合し、プッシュ・プッシュ型スライド部材がカード抜き取り方向にスライドするときに、ロック爪部とカードの係合凹所との係合が解除されるように、弾性片の姿勢が変化する。
【００１７】
一方、カードの抜き取りに際して、カードをカード挿入方向に押し込む操作ではなく、カードの後端を摘んでカード抜き取り方向に引き出す誤った操作が行われると、ロック爪部とカードの係合凹所との係合解除は、弾性片駆動部材の働きではなく、主として弾性片の弾性変形によって達成される。したがって、使用者は、ロック爪部とカードの係合凹所との係合による抵抗を感じながら、カードを抜き取ることになる。
【００１８】
上記弾性片駆動部材は、弾性変形可能な部材からなっていてもよい。
また、他の具体例に係るカード用コネクタは、側面に係合凹所を有するカードを機器に電気接続するためのコネクタであって、カードを収容する収容空間を有し、カードの電気接点に接触する電気接点が植設されたハウジングと、上記カードがハウジング内の所定の完全挿入位置まで挿入されたときに上記カードの係合凹所に係合するロック爪部と、上記ロック爪部を支持し、上記カードに対して、カード抜き取り方向への外力が加えられたときに、上記カードから上記ロック爪部に作用する力を受けて弾性変形し、上記ロック爪部と上記カードの係合凹所との係合状態を解放させる弾性片と、上記ハウジングに対してカード挿抜方向に沿ってスライド可能に結合され、カードが上記ハウジングに挿入されるときに、当該カードからのカード挿入方向への力を受けてカード挿入方向にスライドして所定のロック位置でロックされ、このロック状態から上記カードがカード挿入方向に向けてさらに押し込まれることによってロック解除されるプッシュ・プッシュ型スライド部材と、このプッシュ・プッシュ型スライド部材をカード抜き取り方向に付勢する付勢手段と、弾性変形可能な部材からなり、上記プッシュ・プッシュ型スライド部材がカード挿入方向にスライドするときに、上記弾性片を上記ロック爪部と上記カードの係合凹所とが係合する姿勢に導き、上記ロック解除されたプッシュ・プッシュ型スライド部材が上記付勢手段からの付勢力を受けてカード抜き取り方向にスライドするときに、上記弾性片を上記ロック爪部と上記カードの係合凹所との係合が解除される姿勢に導く弾性片駆動部材とを含む。
【００１９】
これらの構成によれば、カードを誤った操作でハウジングから無理に抜き取ろうとするとき、弾性片が弾性変形し、さらに、弾性片駆動部材が弾性変形する。これにより、カードの係合凹所とロック爪部との係合の解除をよりスムーズに行わせることができ、カード用コネクタの故障を効果的に防止できる。
上記弾性片は、固定された基端部を中心に揺動することができるように片持ち支持されており、上記弾性片駆動部材は、上記弾性片を上記ロック爪部と上記カードの係合凹所とが係合する姿勢とするときに、上記ロック爪部の近傍において当該ロック爪部よりも上記基端部側の位置で上記弾性片に当接する押圧部を備えていることが好ましい。
【００２０】
また、上記ハウジングの少なくとも一部を覆うように当該ハウジングに固定された金属シェルをさらに含み、上記弾性片駆動部材は、上記金属シェルに打ち抜き加工によって一体的に形成されたものであることが好ましい。たとえば、金属シェルを金属板を加工して作製する場合には、この金属シェルに打ち抜き加工によって形成された片持ち梁によって、弾性片駆動部材を構成することができる。
【００２１】
上記係合凹所は、上記ハウジングに対するカード挿抜方向にほぼ直交する係合面を有し、上記ロック爪部は、上記係合凹所の係合面に対向するロック係合辺またはロック係合面を有し、このロック係合辺またはロック係合面は、上記カードに対してカード抜き取り方向への外力が加えられ、上記カードからロック爪部に作用する外力を受けて上記弾性片が弾性変形した状態で、上記カードの側面に対して傾斜し、上記カードの係合凹所の出口縁に摺接するようになっていることが好ましい。
【００２２】
上記弾性片は、上記ロック爪部を、上記カードの係合凹所から離反する方向へ付勢するものであり、上記弾性片駆動部材は、上記プッシュ・プッシュ型スライド部材が上記カード挿入方向へスライドされることによって、上記弾性片を、その付勢力に抗して、上記ロック爪部が上記カードの係合凹所と係合する係合位置に導くように変形させるものであることが好ましい。
【００２３】
さらに他の具体例に係るカード用コネクタは、側面に係合凹所を有するカードを機器に電気接続するためのコネクタであって、カードを収容する収容空間を有し、カードの電気接点に接触する電気接点が植設されたハウジングと、上記カードがハウジング内の所定の完全挿入位置まで挿入されたときに上記カードの係合凹所に係合するロック爪部と、上記ロック爪部を支持し、上記カードに対して、カード抜き取り方向への外力が加えられたときに、上記カードから上記ロック爪部に作用する力を受けて弾性変形し、上記ロック爪部と上記カードの係合凹所との係合状態を解放させる弾性片と、上記ハウジングに対してカード挿抜方向に沿ってスライド可能に結合され、カードが上記ハウジングに挿入されるときに、当該カードからのカード挿入方向への力を受けてカード挿入方向にスライドして所定のロック位置でロックされ、このロック状態から上記カードがカード挿入方向に向けてさらに押し込まれることによってロック解除されるプッシュ・プッシュ型スライド部材と、このプッシュ・プッシュ型スライド部材をカード抜き取り方向に付勢する付勢手段と、上記プッシュ・プッシュ型スライド部材がカード挿入方向にスライドするときに、上記弾性片を上記ロック爪部と上記カードの係合凹所とが係合する姿勢に導き、上記ロック解除されたプッシュ・プッシュ型スライド部材が上記付勢手段からの付勢力を受けてカード抜き取り方向にスライドするときに、上記弾性片を上記ロック爪部と上記カードの係合凹所との係合が解除される姿勢に導く弾性片駆動部材とを含み、上記弾性片は、上記プッシュ・プッシュ型スライド部材に固定された基端部を中心に揺動するとともに、その揺動アーム部を上記収容空間へ向かって付勢する付勢力を発生するばね部材からなり、上記揺動アーム部は、ロック爪部が設けられた中間部と、この中間部からカード抜き取り方向へと延び、上記収容空間の外側へと傾斜した形状に形成された案内部とを有し、上記弾性片駆動部材は、上記揺動アーム部の上記収容空間側の表面に当接し、上記プッシュ・プッシュ型スライド部材がカード挿入方向に変位する過程で、上記揺動アーム部の上記収容空間側の表面上を摺動し、上記中間部を越えて、上記案内部側へと移動するものであることを特徴とする。
【００２４】
上記係合凹所は、上記ハウジングに対するカード挿抜方向にほぼ直交する係合面を有し、上記ロック爪部は、上記係合凹所の係合面に対向するロック係合辺またはロック係合面を有し、このロック係合辺またはロック係合面は、上記カードに対してカード抜き取り方向への外力が加えられ、上記カードからロック爪部に作用する外力を受けて上記弾性片が弾性変形した状態で、上記カードの側面に対して傾斜し、上記カードの係合凹所の出口縁に摺接するようになっていることが好ましい。
【００２５】
また、上記弾性片が上記プッシュ・プッシュ型スライド部材に取り付けられており、上記弾性片駆動部材が、上記ハウジングに対して固定されていることが好ましい。この構成によれば、プッシュ・プッシュ型スライド部材のスライドに伴って、弾性片と弾性片駆動部材との相対移動が生じるから、これを利用して、弾性片を駆動することができる。
カードを誤った操作によってハウジングから無理に抜こうとすると、カードの係合凹所からロック爪部および弾性片を介してプッシュ・プッシュ型スライド部材にカード抜き取り方向の外力が伝達されることになる。このとき、弾性片の変形によって、ロック爪部とカードの係合凹所との間の係合は、プッシュ・プッシュ型スライド部材がロック位置に保持された状態のままで、解除されることが好ましい。これにより、プッシュ・プッシュ型スライド部材をロック位置に保持する機構が破壊されることを防止できる。
【発明を実施するための最良の形態】
【００２６】
以下では、この発明の実施の形態を、添付図面を参照して詳細に説明する。
図１は、この発明の第１の実施形態に係るカード用コネクタの平面図であり、図２はその右側面図であり、図３は、図１の切断面線Ｉ−Ｉから見た断面図である。このカード用コネクタ１０は、メモリカードの一例であるＳＤカード１を電子機器の配線基板に電気接続するためのものである。図１ないし図３などでは、カード用コネクタ１０等を拡大して表してあるが、カード用コネクタ１０の実際の大きさは、たとえば、縦３０mm程度、横２８mm程度、厚さ３mm程度である。
【００２７】
ＳＤカード１は、内部にメモリＩＣ（集積回路）を樹脂封止した薄型のメモリカードであり、平面視においてほぼ矩形に形成されていて、その前端の一方角部には、誤挿入防止用の切り欠き２が形成されている。ＳＤカード１において、切り欠き２の後方の側面には、ロック用の凹所３が矩形に切り欠かれて形成されている。この側面とは他方の側面には、メモリの書き換えを禁止するための書き込み保護スイッチ４が設けられている。この書き込み保護スイッチ４を、ＳＤカード１の側面に沿ってスライドさせることによって、このＳＤカード１を書き込み許可状態と書き込み禁止状態とに切り換えることができる。一方、ＳＤカード１の一方表面（図１において紙面裏側の面）には、複数の信号コンタクト５が露出状態で設けられている。
【００２８】
カード用コネクタ１０は、樹脂製のハウジング１１と、この樹脂製のハウジングの上面および側面を覆う断面Ｕ字状の金属シェル１２と、ハウジング１１に植設された複数本の信号コンタクト１３とを備えている。この複数本の信号コンタクト１３は、ＳＤカード１の信号コンタクト５にそれぞれ圧接される圧接部１３ａを一端に有し、電子機器の配線基板に表面半田付けされる半田付け部１３ｂを他端に有している。
【００２９】
図４は、金属シェル１２を取り外した状態のカード用コネクタ１０を示す平面図である。ハウジング１１は、平面視において、ほぼＵ字状に成形されていて、ＳＤカード１が挿入される前端側に開放したカード収容空間１５を形成している。すなわち、ハウジング１１は、複数本の信号コンタクト１３が、ＳＤカード１の挿入方向Ｒ１およびこれとは正反対の抜き取り方向Ｒ２（両方向を総称するときには、「カード挿抜方向Ｒ１，Ｒ２」という。）に沿って互いに平行に並設された状態で植設される本体部１１Ａと、この本体部１１Ａの両側部からカード抜き取り方向Ｒ２に向かって互いに平行に突出した一対の腕部１１Ｂ，１１Ｃとを有している。この一対の腕部１１Ｂ，１１Ｃの間にＳＤカード１が受け入れられ、その信号コンタクト５が本体部１１Ａに植設された信号コンタクト１３の圧接部１３ａに圧接されるようになっている。
【００３０】
以下、カード用コネクタ１０については、カード抜き取り方向Ｒ２側（すなわち、ＳＤカード１を受け入れる側）を前方とし、ＳＤカード１については、カード挿入方向Ｒ１側（すなわち、カード用コネクタ１０に対向する側）を前方として説明する。
本体部１１Ａの後端には、ＳＤカード１がカード収容空間１５に完全に装着されたことを検出するためのカード検出スイッチ１６が固定されている。また、一方の腕部１１Ｂの外側面に沿って、書き込み保護検出スイッチ１７が固定されている。この書き込み保護検出スイッチ１７とカード検出スイッチ１６との間には、共通端子１８が本体部１１Ａに固定されて設けられている。
【００３１】
共通端子１８は、金属製の板ばね片からなり、本体部１１Ａの後端部付近に、配線基板に表面半田付けされる半田付け部１８ａを有し、さらに、カード検出スイッチ１６の接点部１６ａよりもカード収容空間１５の内方に入り込んだカード検出接点１８ｂと、書き込み保護検出スイッチ１７の接点部１７ａよりもカード収容空間１５の内方に入り込んだ書き込み保護スイッチ検出接点１８ｃとを有している。
【００３２】
カード検出スイッチ１６は、金属製の板ばね片からなり、共通端子１８のカード検出接点１８ｂに臨む接点部１６ａと、配線基板に表面半田付けされる半田付け部１６ｂとを有している。
書き込み保護検出スイッチ１７は、共通端子１８の書き込み保護スイッチ検出接点１８ｃに臨む接点部１７ａを一端に有し、腕部１１Ｂの先端付近に位置する他端には、配線基板に表面半田付けされる半田付け部１７ｂを有している。
【００３３】
カード収容空間１５にＳＤカード１を完全に挿入して装着した状態では、カード検出接点１８ｂは、弾性変形して、カード検出スイッチ１６の接点部１６ａに圧接される。したがって、カード検出スイッチ１６と共通端子１８との間の電気導通の有無を検出すれば、ＳＤカード１が装着されているかどうかを検出できる。
一方、書き込み保護スイッチ検出接点１８ｃは、カード収容空間１５に完全に挿入された状態のＳＤカード１の書き込み保護スイッチ４が書き込み許可位置にあるときに、この書き込み保護スイッチ４に対向し、書き込み保護スイッチ４が書き込み禁止位置にあるときには、これに対向しないように配置されている。そのため、ＳＤカード１がカード収容空間１５に完全に挿入され、かつ、書き込み保護スイッチ４が書き込み可能位置にある場合にのみ、共通端子１８の書き込み保護スイッチ検出接点１８ｃが書き込み保護検出スイッチ１７の接点部１７ａ側へと押し出され、この接点部１７ａに圧接する。よって、書き込み保護検出スイッチ１７と共通端子１８との間の電気導通の有無を検出すれば、装着されたＳＤカード１が書き込み保護設定されているかどうかを検出できる。
【００３４】
ハウジング１１の腕部１１Ｃ側には、この腕部１１Ｃに沿って、カード挿抜方向Ｒ１，Ｒ２に往復スライド移動可能なハートカムブロック２０が係合している。このハートカムブロック２０は、ハウジング１１にカード挿抜方向Ｒ１，Ｒ２に沿って形成されたばね収容溝３０に収容されたコイルばね３１からのばね力を受けて、カード抜き取り方向Ｒ２に向けて付勢されている。また、ハートカムブロック２０のカード抜き取り方向Ｒ２への変位は、腕部１１Ｃの先端部に形成された抜け止め部３２によって規制されるようになっている。
【００３５】
このハートカムブロック２０は、上面（配線基板に対向する側を下面とし、その反対側の表面）にハート形のカム溝２１を有している。このカム溝２１と抜け止め部３２との間に伝達ピン３３が架け渡されている。より具体的には、伝達ピン３３は、金属棒の両端部をそれぞれほぼ直角に折り曲げて、互いに平行なピンをその両端に設けたものであり、一方のピンがカム溝２１内を循環移動する作動部３３ａとなっており、他方のピンは、抜け止め部３２に形成された受け穴に、回転自在に受け入れられている。
【００３６】
ハートカムブロック２０は、平面視において、大略的に倒立Ｌ字状に形成されていて、ハウジング１１の後方側には、カード収容空間１５に突出したカード受け部２２を有している。このカード受け部２２は、ＳＤカード１の切り欠き２側の角部を受け止めるべく、この切り欠き２に対応した傾斜面と、ＳＤカード１の前端面に対応してカード挿入方向Ｒ１に直交するように形成された垂直面とからなるカード受け面２２ａを有している。
【００３７】
したがって、ＳＤカード１をカード挿入方向Ｒ１に向かって押し込むと、このＳＤカード１がカード受け部２２によって受け止められる。ＳＤカード１をカード収容空間１５に完全に挿入するために、操作者は、コイルばね３１のばね力に抗して、ＳＤカード１をさらにカード挿入方向Ｒ１に向けて押し込む。
この過程で、伝達ピン３３の作動部３３ａがカム溝２１内を移動して、そのロック位置に導かれる。これにより、ハートカムブロック２０は、ＳＤカード１がカード挿入方向Ｒ１に完全に挿入されたときの位置（ハートカムブロックのロック位置）でロックされる。
【００３８】
この状態から、ＳＤカード１を、再度、コイルばね３１のばね力に抗して、若干量だけカード挿入方向Ｒ１に向かって押し込むと、伝達ピン３３の作動部３３ａは、ロック位置を脱して、カム溝２１内を移動する。これにより、コイルばね３１のばね力によって、ハートカムブロック２０がカード抜き取り方向Ｒ２へと押し出され、このハートカムブロック２０のカード受け部２２からの力を受けて、ＳＤカード１がカード用コネクタ１０外へと押し出されることになる。
【００３９】
ハートカムブロック２０には、板ばね片からなるロック用弾性片４０が固定されている。すなわち、ハートカムブロック２０の後端部には、圧入溝２４が形成されており、この圧入溝２４にロック用弾性片４０の基端部４１が圧入されている。
ロック用弾性片４０は、圧入溝２４に固定された基端部４１を中心に揺動することができるように片持ち支持されていて、基端部４１と、基端部４１からカード収容空間１５の一方側（腕部１１Ｃ側）へと向かって斜めに延びた連結部４２と、外力を受けていない状態で、連結部４２からカード抜き取り方向Ｒ２に沿って延びた後に、カード収容空間１５から離反するように斜めに屈曲されてその方向に延び、さらに、カード収容空間１５側に再び屈曲された形状の揺動アーム部４３と、この揺動アーム部４３の先端部４３ａから、折り曲げ加工によって、カード収容空間１５に向かって突出した状態に形成されたロック爪部４５とを有している。ハートカムブロック２０には、ロック爪部４５の作動空間を確保する凹所２３が形成されている。
【００４０】
ロック爪部４５は、前端がカード受け部２２に当接した状態におけるＳＤカード１のロック用凹所３に対向する位置に配置されている。このロック爪部４５は、ロック用凹所３のカード挿入方向Ｒ１下流側の内壁面３ａと係合するロック係合辺４５ａを有している。
図５(a)(b)は、主要部の構成を拡大して示す平面図である。この図５(a)(b)および上述の図２に示されているように、金属シェル１２の腕部１１Ｃ側の側壁には、打ち抜き加工によって、片持ち梁状のばね部材３５が、カード収容空間１５の内方に向かって突出した「く」の字形状に成形されて設けられている。
【００４１】
図５(a)に示すように、ばね部材３５は、ハートカムブロック２０が抜き取り方向Ｒ２側端部に位置しているときには、その押圧部３５ａがロック用弾性片４０の基端部４１側の位置（カード挿抜方向Ｒ１，Ｒ２とほぼ平行な部分）で揺動アーム部４３の表面に当接している。
一方、ハートカムブロック２０がＳＤカード１とともにカード挿入方向Ｒ１へと押し込まれると、ばね部材３５の押圧部３５ａとロック用弾性片４０との相対位置が変動し、押圧部３５ａは、揺動アーム部４３の表面上を摺動して案内され、ＳＤカード１がカード収容空間１５に完全に収容された状態では、図５(b)に示すように、揺動アーム部４３の先端部４３ａの近傍においてロック爪部４５よりも基端部４１側の位置に達する。これにより、ロック用弾性片４０は、押圧部３５ａからの押圧力を受けて弾性変形し、ロック爪部４５がカード収容空間１５内に突出するように押し出される。これにより、ロック爪部４５がロック用凹所３に入り込み、そのロック係合辺４５ａと内壁面３ａとの係合によって、ＳＤカード１の不用意な脱落が防止される。
【００４２】
ロック係合辺４５ａは、ロック爪部４５とＳＤカード１のロック用凹所３とが係合していてＳＤカード１に対してカード抜き取り方向Ｒ２への外力が加えられていない状態では、ロック用係合凹所３の内方に向かうほど当該ロック用凹所３の内壁面３ａに近づく姿勢である（図５(b)参照）。
図６は、ＳＤカード１の抜き取りに際して、操作者が、ＳＤカード１をカード挿入方向Ｒ１に再度押し込むという正しい操作を行わずに、カード用コネクタ１０から突出している後端部を摘んでカード抜き取り方向Ｒ２に無理に引き抜こうとしている状況を示す部分拡大平面図である。ロック爪部４５は弾性変形可能な揺動アーム部４３の先端部４３ａに設けられているから、ＳＤカード１のロック用凹所３の内壁面３ａからの力がロック係合辺４５ａに伝えられると、ロック爪部４５は、ロック用弾性片４０およびばね部材３５を弾性変形させながら、ＳＤカード１の上下面に沿う平面内で回転し始める。これにより、ロック係合辺４５ａは、ロック用凹所３の内方に向かうほど当該ロック用凹所３の内壁面３ａから離れる姿勢となって当該内壁面３ａの出口縁に対して傾斜状態で当接する。よって、ロック爪部４５はロック用凹所３に対する強固な係合力を失い、ロック用弾性片４０が結合されたハートカムブロック２０のカム溝２１のロック位置から伝達ピン３３の作動部３３ａが外れるよりも前に、ロック爪部４５とロック用凹所３との係合が解除される。
【００４３】
すなわち、ロック爪部４５は、所定の力までの抜き取り力に耐えてロック用凹所３と係合し、ＳＤカード１の不用意な抜き取りを阻止するのであるが、カム溝２１のロック位置から伝達ピン３３の作動部３３ａが外れるほどの外力が加えられたときには、そのような作動部３３ａの係合解除が生じることを防ぐために、ロック用凹所３との係合を解除する。これにより、伝達ピン３３の作動部３３ａがカム溝２１を破壊して移動することを防止できるから、ハートカムブロック２０が破壊されることを防止でき、プッシュ・プッシュ型排出機構の耐久寿命を向上でき、さらには、カード用コネクタ１０の耐久寿命を向上できる。
【００４４】
図７(a)は、ハート形のカム溝２１の模式図であり、図７(b)はカム溝のカム面の構成を示す展開図である。カム溝２１の底面は、高さの異なる複数のカム面Ａ〜Ｈで構成されており、ハートカムブロック２０の往復動作に伴って、伝達ピン３３の作動部３３ａが、カム面Ａ〜Ｈを図７(a)の矢印方向（図では時計回り）に循環する。
ハート形をなすカム溝２１のＶ字形部分の底となる部分がカム溝２１のロック部になっている。このロック部をなすカム面Ｅは、循環方向（時計回り方向）に隣接するカム面Ｆよりは高いが、反循環方向（反時計回り方向）に隣接するカム面Ｄよりも低く設定されている。
【００４５】
ＳＤカード１を装着していない状態では、ハートカムブロック２０はカード抜き取り方向Ｒ２側端部に位置している。このとき、伝達ピン３３の作動部３３ａは、カム面Ａに位置している。
この状態から、ＳＤカード１をカード挿入方向Ｒ１に向けてカード収容空間１５に押し込んでハートカムブロック２０をカード挿入方向Ｒ１に移動させると、伝達ピン３３の作動部３３ａは、カム面Ａから、傾斜面からなるカム面Ｂを経て、カム面Ａよりも高いカム面Ｃに至り、さらに、このカム面Ｃよりも低いカム面Ｄへと導かれる。その後、ＳＤカード１に対するカード挿入方向Ｒ１への外力が解放されると、ハートカムブロック２０は、コイルばね３１の復元力を受けて、カード抜き取り方向Ｒ２へと移動する。このとき、カム面Ｃ，Ｄ間の段差のために、伝達ピン３３の作動部３３ａはカム面Ｃへと戻ることができず、また、カム面Ｃ，Ｄ間の段差部がカム面Ｅへと作動部３３ａを案内する案内面となっていることから、この作動部３３ａは、カム面Ｅへと導かれ、Ｖ字形部分の底部に導かれて安定する。これにより、ハートカムブロック２０は、伝達ピン３３の作動部３３ａがカム面Ａにあるときよりもカード挿入方向Ｒ１に押し込まれた位置でロックされることになる。
【００４６】
この状態から、ＳＤカード１を抜き取るときには、操作者は、ＳＤカード１にカード挿入方向Ｒ１への外力を加えて、ハートカムブロック２０をカード挿入方向Ｒ１へ押し込む。このとき、カム面Ｄ，Ｅ間の段差のために、伝達ピン３３の作動部３３ａは、カム面Ｄへと戻ることができず、カム面Ｅの部分の内側壁に案内されて、カム面Ｅよりも低いカム面Ｆへと導かれることになる。
【００４７】
その後、ＳＤカード１に対するカード挿入方向Ｒ１への外力が解放されると、コイルばね３１の復元力によってハートカムブロック２０がカード抜き取り方向Ｒ２へと移動される。これに伴って、伝達ピン３３の作動部３３ａは、カム面Ｆから、傾斜面からなるカム面Ｇを経て、カム面Ａよりも高いカム面Ｈに至り、さらに、カム面Ａへと導かれる。
次にハートカムブロック２０にカード挿入方向Ｒ１への外力が加わったときには、カム面Ａとカム面Ｈとの間の段差のために、伝達ピン３３の作動部３３ａは、カム面Ｈに戻ることができず、また、その段差部がカム面Ｂに作動部３３ａを導く案内面をなしていることから、作動部３３ａは、カム面Ｂへと向かうことになる。
【００４８】
図２に示されているとおり、伝達ピン３３の作動部３３ａがカム溝２１から外れることを防ぐために、金属シェル１２の天面壁には、打ち抜き加工によって形成された片持ち梁状の伝達ピン押さえ部材２８がハートカムブロック２０の上面に向かって内方に突出した状態で設けられている。この伝達ピン押さえ部材２８は、弾性変形可能であり、カム面Ａ〜Ｈを通る伝達ピン３３の作動部３３ａの上下動を許容しつつ、この作動部３３ａをカム面Ａ〜Ｈに押し付ける。
【００４９】
図８は、ハウジング１１の腕部１１Ｃの近傍の構成を示す部分平面図であり、図９(a)はハートカムブロックの平面図であり、図９(b)はその右側面図であり、図９(c)はその底面図であり、図９(d)はハートカムブロック２０のカード挿入方向Ｒ１から見た正面図であり、図９(e)はそのカード抜き取り方向Ｒ２から見た背面図である。
ハウジング１１には、ばね収容溝３０がカード挿抜方向Ｒ１，Ｒ２に沿って形成されていて、ここにコイルばね３１が収容されている。コイルばね３１は、ばね収容溝３０の底面において、カード挿抜方向Ｒ１，Ｒ２に沿って形成された突条３６によって位置規制されている。このコイルばね３１の前端部側は、ハートカムブロック２０の底面２０ａ側に穿設されたばね受け溝２５に受け入れられるようになっていて、このばね受け溝２５のカード抜き取り方向Ｒ２側の端面２５ａにコイルばね３１の前端が当接するようになっている。
【００５０】
ばね受け溝２５よりもカード抜き取り方向Ｒ２側には、カード挿抜方向Ｒ１，Ｒ２に沿う突条からなるキー２６が形成されている。ハウジング１１には、ばね収容溝３０のカード抜き取り方向Ｒ２側に、ばね収容溝３０と連続する案内溝３７が形成されている。この案内溝３７にキー２６がスライド自在に係合することによって、ハートカムブロック２０がカード挿抜方向Ｒ１，Ｒ２に沿ってスライド移動可能とされている。
【００５１】
図１０(a)(b)は、この発明の第２の実施形態に係るカード用コネクタの主要部の構成を示す平面図である。この実施形態の説明では、上述の図１〜図４を再び参照することとし、図１０(a)(b)において、図１〜図９に示された各部に対応する部分には、図１〜図９の場合と同一の参照符号を付して示す。
この実施形態では、ハートカムブロック２０に取り付けられたロック用弾性片６０は、圧入溝２４に固定された基端部６１を中心に揺動することができるように片持ち支持されていて、ハートカムブロック２０の後端部に固定された前記基端部６１と、この基端部６１から腕部１１Ｃに向かって延びた連結部６２と、この連結部６２から腕部１１Ｃにほぼ沿うように延びた揺動アーム部６３とを有している。この揺動アーム部６３は、連結部６２から斜め方向に延びた傾斜部６３ｂと、ロック爪部６５が形成された中間部６３ａと、この中間部６３ａからさらにカード抜き取り方向Ｒ２へと延びた案内部６３ｃとを有している。案内部６３ｃは、カード収容空間１５の外側へと傾斜した形状に形成されている。
【００５２】
ロック爪部６５は、揺動アーム部６３の中間部６３ａから、カード収容空間１５に向かって突出して形成されている。このロック爪部６５は、ＳＤカード１のロック用凹所３の内壁面３ａに対向することになるロック係合辺６５ａをカード挿入方向Ｒ１側に有している。
ハウジング１１に装着される金属シェル１２の天面からは、たとえば、折り曲げ加工によって形成されたガイド部材６８が垂下している。このガイド部材６８は、カード収容空間１５よりも腕部１１Ｃ側に位置している。ロック用弾性片６０は、揺動アーム部６３をカード収容空間１５へ向かって揺動させる付勢力を発生するばね部材であり、このような揺動アーム部６３の揺動が、ガイド部材６８によって規制されるようになっている。すなわち、ガイド部材６８は、揺動アーム部６３は、カード収容空間１５側の表面に当接している。
【００５３】
ハートカムブロック２０がカード抜き取り方向Ｒ２側の端部に位置しているとき、図１０(a)に示すように、ガイド部材６８は、揺動アーム部６３の中間部６３ａよりも基端部６１側の傾斜部６３ｂに当接し、ロック爪部６５をカード収容空間１５から退避した位置に規制している。
この状態からＳＤカード１をカード挿入方向Ｒ１に向けて押し込むと、それに応じてハートカムブロック２０がカード挿入方向Ｒ１に変位する。その過程で、ガイド部材６８は、揺動アーム部６３のカード収容空間１５側の表面上を摺動し、中間部６３ａを越えて、先端側の案内部６３ｃ側へと移動する。中間部６３ａには、ロック爪部６５が、たとえば、板状のロック用弾性片６０の金属シェル１２とは反対側（下側）の縁部からカード収容空間１５側に突出するように形成されており、ガイド部材６８は、このようなロック爪部６５と干渉することなく、揺動アーム部６３に対して相対移動できる長さ（垂下量）に形成されている。
【００５４】
こうして、ＳＤカード１がカード収容空間１５に完全に押し込まれたときには、図１０(b)に示すように、ロック用弾性片６０の復元力によって、ロック爪部６５がロック用凹所３に入り込み、ＳＤカード１の抜き取りを阻止するようになっている。
この状態から、ハートカムブロック２０をカード挿入方向Ｒ１に向けて再度押し込むという正しい操作によらず、ＳＤカード１を無理に抜き取ろうとしたときには、ロック用凹所３の内壁面３ａがロック爪部６５のロック係合辺６５ａに当接する。これにより、ロック爪部６５に働く外力のために揺動アーム部６３がカード収容空間１５から離反するように湾曲変形し、ロック係合辺６５ａが内壁面３ａの出口縁に傾斜して当接する状態に至る。この状態からＳＤカード１をさらに抜き取る操作を継続すると、ロック係合辺６５ａは内壁面３ａの出口縁に摺接しながら、ロック用凹所３の外部へと導かれる。これにより、ハートカムブロック２０を破壊することなく、ＳＤカード１が抜き取られることになる。
【００５５】
むろん、ハートカムブロック２０が破壊されることの無い程度の力でＳＤカード１がカード抜き取り方向Ｒ１に引き出そうとしても、ロック用凹所３とロック爪部６５との係合により、ＳＤカード１が抜き取られることはない。
このようにして、この実施形態の構成によっても、ＳＤカード１が不用意に抜き取られることを防止でき、かつ、ハートカムブロック２０の破壊を防止できる。
【００５６】
図１１(a)(b)は、この発明の第３の実施形態に係るカード用コネクタの構成を説明するための平面図である。この実施形態では、金属シェル１２の腕部１１Ｃ側の側面部を打ち抜き加工して、ハートカムブロック２０の上方の空間を通り、カード収容空間１５の近傍に至るロック用弾性片７０が金属シェル１２と一体的に形成されている。このロック用弾性片７０は、腕部１１Ｃの内縁にほぼ平行な部分７１を有し、この部分７１に、カード収容空間１５に向かって突出したロック爪部７５が設けられている。ロック爪部７５は、平面視において、カード収容空間１５に向かって突出した台形形状に形成されており、カード挿入方向Ｒ１側の斜辺は、ロック用凹所３の内壁面３ａの出口縁に対して傾斜したロック係合辺７５ａをなし、カード抜き取り方向Ｒ２側の斜辺は、ロック用凹所３のカード抜き取り方向Ｒ２側の内壁面３ｂの外側縁に対して傾斜した案内辺７５ｂを成している。
【００５７】
ＳＤカード１をカード挿入方向Ｒ１に向かって押し込むと、ＳＤカード１の切り欠き２（図１参照）がロック爪部７５の案内辺７５ｂに当接し、ロック爪部７５はＳＤカード１の側辺に摺接する状態となる。この状態から、ＳＤカード１をハートカムブロック２０とともに押し込むと、ロック用弾性片７０の復元力により、ロック用凹所３にロック爪部７５が嵌り込む。この状態で、ハートカムブロック２０がロックされることになる。
【００５８】
この状態から、ＳＤカード１をカード挿入方向Ｒ１に向かって若干量押し込むと、ハートカムブロック２０のロック状態が解除され、コイルばね３１によって、ハートカムブロック２０がカード抜き取り方向Ｒ２へと付勢され、それに伴って、ＳＤカード１がカード抜き取り方向Ｒ２へと付勢される。これにより、ＳＤカード１のロック用凹所３の内壁面３ａの出口縁に係合辺７５ａに摺接する状態に至り、コイルばね３１のばね力によってＳＤカード１がさらにカード抜き取り方向Ｒ２へと移動することにより、ロック爪部７５はロック用凹所３から脱出する。こうして、ＳＤカード１が排出される。
【００５９】
一方、操作者が、ＳＤカード１をカード挿入方向Ｒ１に向かって押し込むという正しい操作ではなく、ＳＤカード１の後端部を掴んでカード抜き取り方向Ｒ２へと抜き取るという誤った操作を行う場合について考察する。このときには、コイルばね３１からの力の代わりに、操作者が直接的に加えた外力によって、ＳＤカード１がカード抜き取り方向Ｒ２に移動することになるが、ロック用弾性片７０は、正しい動作の場合と同様に弾性変形し、ロック爪部７５とロック用凹所３との係合が解除される。つまり、ハートカムブロック２０のロック状態を保持したままで、ロック爪部７５とロック用凹所３との係合が解除され、ハートカムブロック２０が破壊されることはない。むろん、ある程度以上の外力を加えない限り、ロック爪部７５とロック用凹所３との係合が保持されるから、ＳＤカード１が不用意に脱落することはない。
【００６０】
以上、この発明の３つの実施形態について説明したが、この発明はさらに他の形態で実施することもできる。たとえば、上記の実施形態では、ロック爪部が係合辺を有する例について説明したが、ＳＤカード１のロック用凹所３の内壁面３ａに係合する係合面を有するロック爪部が用いられてもよい。
また、上記の実施形態では、ＳＤカード１のためのカード用コネクタ１０を例にとったが、メモリスティック、マルチメディアカード、スマートメディア等に代表される他の種類のメモリカードのためのカード用コネクタにも、この発明を同様に適用することができる。また、メモリカード用のコネクタ以外にも、Ｉ／Ｏ機能を有する機能カードなど同じ形状の各種カード形状であれば、本発明の構成を適用することができる。
【００６１】
その他、特許請求の範囲に記載された事項の範囲で種々の設計変更を施すことが可能である。
【図面の簡単な説明】
【００６２】
【図１】この発明の第１の実施形態に係るカード用コネクタの平面図である。
【図２】図１のカード用コネクタの右側面図である。
【図３】図１の切断面線Ｉ−Ｉから見た断面図である。
【図４】金属シェルを取り外した状態のカード用コネクタを示す平面図である。
【図５】上記カード用コネクタの主要部の構成を拡大して示す平面図である。
【図６】ＳＤカードの後端部を摘んで無理に引き抜こうとしている状況を示す部分拡大平面図である。
【図７】(a)はハート形のカム溝の模式図であり、(b)はカム溝のカム面の構成を示す展開図である。
【図８】ハウジングの一方の腕部の近傍の構成を示す部分平面図である。
【図９】(a)はハートカムブロックの平面図であり、(b)はその右側面図であり、(c)はその底面図であり、(d)はその正面図であり、(e)はその背面図である。
【図１０】この発明の第２の実施形態に係るカード用コネクタの主要部の構成を示す平面図である。
【図１１】この発明の第３の実施形態に係るカード用コネクタの構成を説明するための平面図である。
【符号の説明】
【００６３】
１      ＳＤカード
２      切り欠き
３      ロック用凹所
３ａ    内壁面
３ｂ    内壁面
４      書き込み保護スイッチ
５      信号コンタクト
１０    カード用コネクタ
１１    ハウジング
１１Ａ  本体部
１１Ｂ  腕部
１１Ｃ  腕部
１２    金属シェル
１３    信号コンタクト
１３ａ  圧接部
１３ｂ  半田付け部
１５    カード収容空間
１６    カード検出スイッチ
１６ａ  接点部
１６ｂ  半田付け部
１７    保護検出スイッチ
１７ａ  接点部
１７ｂ  半田付け部
１８    共通端子
１８ａ  半田付け部
１８ｂ  カード検出接点
１８ｃ  保護スイッチ検出接点
２０    ハートカムブロック
２０ａ  底面
２１    カム溝
２２    カード受け部
２２ａ  カード受け面
２３    凹所
２４    圧入溝
２５    ばね受け溝
２５ａ  端面
２６    キー
２８    伝達ピン押さえ部材
３０    ばね収容溝
３１    コイルばね
３２    抜け止め部
３３    伝達ピン
３３ａ  作動部
３５    ばね部材
３５ａ  押圧部
３６    突条
３７    案内溝
４０    ロック用弾性片
４１    基端部
４２    連結部
４３    揺動アーム部
４３ａ  先端部
４５    ロック爪部
４５ａ  ロック係合辺
６０    ロック用弾性片
６１    基端部
６２    連結部
６３    揺動アーム部
６３ａ  中間部
６３ｂ  傾斜部
６３ｃ  案内部
６５    ロック爪部
６５ａ  ロック係合辺
６８    ガイド部材
７０    ロック用弾性片
７５    ロック爪部
７５ａ  ロック係合辺
７５ｂ  案内辺
Ａ〜Ｈ  カム面
Ｒ１    カード挿入方向
Ｒ２    カード抜き取り方向
【図１】
2006294637.tif 000003
【図２】
2006294637.tif 000004
【図３】
2006294637.tif 000005
【図４】
2006294637.tif 000006
【図５】
2006294637.tif 000007
【図６】
2006294637.tif 000008
【図７】
2006294637.tif 000009
【図８】
2006294637.tif 000010
【図９】
2006294637.tif 000011
【図１０】
2006294637.tif 000012
【図１１】
2006294637.tif 000013